(57)【要約】電磁干渉（ＥＭＩ）エミッションを低減するために、伝送されるデジタル信号に関係するパワーを拡散する方法及びシステムが記載されている。伝送ラインを伝送された後、元のデジタル信号の表現が復元され、目的デバイスへ供給される。
2005524889.tif 000002
【特許請求の範囲】
【請求項１】
ほぼ固定の周波数を有する第１のデジタル信号を受信する段階と、
第１のパワー拡散デジタルノイズ信号に基づいて第１のデジタル信号を修正し、拡散デジタル信号を発生する段階と、
を有する方法。
【請求項２】
第１のデジタル信号を受信する段階において、第１のデジタル信号がクロック信号である請求項１記載の方法。
【請求項３】
拡散デジタル信号を非ワイヤレス伝送ラインに沿って伝送する段階を有する請求項１記載の方法。
【請求項４】
拡散デジタル信号を伝送ラインに沿って伝送する段階において、伝送ラインがワイヤガイドである請求項３記載の方法。
【請求項５】
拡散デジタル信号を伝送ラインに沿って伝送する段階において、伝送ラインがプリント回路基板トレースである請求項３記載の方法。
【請求項６】
拡散デジタル信号を伝送ラインに沿って伝送する段階において、伝送ラインが同軸ケーブルである請求項３記載の方法。
【請求項７】
拡散デジタル信号を伝送ラインに沿って伝送する段階において、伝送ラインが集積回路トレースである請求項３記載の方法。
【請求項８】
第１のデジタル信号を修正する段階において、第１のパワー拡散信号が、第１のパワー拡散機能を実行して拡散デジタル信号の発生を容易にするものである請求項１記載の方法。
【請求項９】
拡散デジタル信号を受信する段階と、
第１のパワー拡散機能を実行する第２のパワー拡散信号に基づいて、拡散デジタル信号を修正して、第２のデジタル信号を発生する段階と、
をさらに有し、第２のデジタル信号が第１のデジタル信号を表している請求項８記載の方法。
【請求項１０】
第２のデジタル信号をクロック分配ネットワークへ供給する段階をさらに有する請求項９記載の方法。
【請求項１１】
第２のデジタル信号を供給する段階が、第２のデジタル信号をプリント回路基板のクロック分配ネットワークへ供給する段階を有する請求項１０記載の方法。
【請求項１２】
第２のデジタル信号を供給する段階が、第２のデジタル信号を集積回路のクロック分配ネットワークへ供給する段階を有する請求項１０記載の方法。
【請求項１３】
拡散デジタル信号を受信する段階と、
第２のパワー拡散機能を実行する第２のパワー拡散信号に基づいて、拡散デジタル信号を修正して、第２のデジタル信号を発生する段階と、
をさらに有する請求項８記載の方法。
【請求項１４】
第２のデジタル信号が第１のデジタル信号を表しているかどうかを決定する段階をさらに有する請求項１３記載の方法。
【請求項１５】
第２のデジタル信号が第１のデジタル信号を表していると決定されたとき、第２のデジタル信号をクロック分配ネットワークへ供給する段階をさらに有する請求項１４記載の方法。
【請求項１６】
第２のデジタル信号が第１のデジタル信号を表していないと決定されたとき、クロック分配ネットワークへの第２のデジタル信号の分配を防止する段階をさらに有する請求項１４記載の方法。
【請求項１７】
拡散デジタル信号を修正する段階において、第２のパワー拡散機能が複数の状態をさらに有し、これら複数の状態のサブセットを使用して第２のデジタル信号を発生させている請求項１３記載の方法。
【請求項１８】
拡散デジタル信号を修正する段階が、拡散デジタル信号に基づいて同期信号を決定する段階と、この同期信号をロック素子へ供給して第２のデジタル信号を発生する段階とを有する請求項１７記載の方法。
【請求項１９】
拡散デジタル信号を修正する段階において、第２のパワー拡散機能が複数の状態をさらに有し、拡散デジタル信号のソースがわかっているときに、これら複数の状態のサブセットを使用して第２のデジタル信号を発生させている請求項１３記載の方法。
【請求項２０】
拡散デジタル信号を修正する段階において、第２のパワー拡散機能が複数の状態を有し、これら複数の状態の各々を使用して第２のデジタル信号を発生させている請求項１３記載の方法。
【請求項２１】
第２のパワー拡散機能が疑似乱数発生器によって発生される請求項１３記載の方法。
【請求項２２】
第２のパワー拡散機能がガウシャン乱数発生器によって発生される請求項１３記載の方法。
【請求項２３】
拡散デジタル信号を修正する段階において、疑似乱数発生器がゲート式疑似乱数発生器によって発生される請求項２１記載の方法。
【請求項２４】
ゲート式疑似乱数発生器が偶数の状態を発生する請求項２３記載の方法。
【請求項２５】
疑似乱数発生器がルックアップテーブルを有する請求項２１記載の方法。
【請求項２６】
疑似乱数発生器がリニアフィードバックシフトレジスタ２７を有する請求項２１記載の方法。疑似乱数発生器がリニアフィードバックシフトレジスタ２７を有する請求項２１記載の方法。
【請求項２７】
第１のデジタル信号を受信する段階において、第１のデジタル信号が周期的な台形タイプの波形を有する請求項１記載の方法。
【請求項２８】
修正する段階が、第１のパワー拡散信号に基づいて第１のデジタル信号を修正して、制御刺激に応じて拡散デジタル信号を発生する段階を有する請求項１記載の方法。
【請求項２９】
制御刺激がｂｉｏｓ設定を有する請求項２８記載の方法。
【請求項３０】
制御刺激がｂｉｏｓユーザ入力を有する請求項２８記載の方法。
【請求項３１】
制御刺激がデバイスへの入力ピンを有する請求項２８記載の方法。
【請求項３２】
制御刺激に応じて非ワイヤレス伝送ラインに沿って拡散デジタル信号を伝送する段階、そうでなければ、第１のデジタル信号を非ワイヤレス伝送ラインに沿って伝送する段階を有する請求項２８記載の方法。
【請求項３３】
第１のデジタル信号を修正する段階において、拡散デジタル信号がほぼ固定の周波数よりも高くない周波数成分を有している請求項１記載の方法。
【請求項３４】
第１のデジタル信号を修正する段階において、拡散デジタル信号がほぼ固定の周波数よりも高い周波数成分を有している請求項１記載の方法。
【請求項３５】
第１の周波数を有する第１のバイナリデジタル信号を供給する第１の入力と、
パワー拡散モジュールと、
を有し、パワー拡散モジュールは、第１の入力へ連結された第２の入力と、第１のバイナリデジタル信号の第１のバイナリ表現を供給する第１の出力とを有し、第１のバイナリデジタル信号の第１のバイナリ表現が第１のバイナリデジタル信号に対して拡散されたパワーを有するようになっているシステム。
【請求項３６】
パワー拡散モジュールが、疑似ランダムノイズ状態を供給する出力を有する疑似ランダムノイズ発生器を有している請求項３５記載のシステム。
【請求項３７】
パワー拡散モジュールが、ガウシャンランダムノイズ状態を供給する出力を有する疑似ランダムノイズ発生器を有している請求項３５記載のシステム。
【請求項３８】
パワー拡散モジュールが、
第１の入力へ連結された第１の修正モジュール入力と、第２の出力へ連結された第２の修正モジュール入力と、第１の複数のノイズ状態に基づいて第１のデジタル信号の第１のバイナリ表現を供給する修正モジュール出力とを有する請求項３６記載のシステム。
【請求項３９】
第１の複数のノイズ状態が偶数のノイズ状態を有する請求項３７記載のシステム。
【請求項４０】
第１の出力へ連結された伝送ラインをさらに有する請求項３５記載のシステム。
【請求項４１】
伝送ラインがプリント回路基板トレースである請求項４０記載のシステム。
【請求項４２】
プリント回路基板トレースがインピーダンス不連続を有する請求項４１記載のシステム。
【請求項４３】
インピーダンス不連続がアドインコネクタの箇所にある請求項４２記載のシステム。
【請求項４４】
アドインコネクタがメモリデバイスを受容するためのものである請求項４３記載のシステム。
【請求項４５】
伝送ラインが集積回路トレースである請求項４０記載のシステム。
【請求項４６】
第２のパワー拡散モジュールをさらに有し、その第２のパワー拡散モジュールは、第１のデジタル信号の第１のバイナリ表現を受信するために伝送ラインへ連結されている第３の入力と、第１のバイナリデジタル信号の第２のバイナリ表現を供給するための第２の出力とを有し、第１のバイナリデジタル信号の第２のバイナリ表現が第１のデジタル信号とほぼ同じ周波数パターンを有する請求項４０記載のシステム。
【請求項４７】
第２のパワー拡散モジュールが同期モジュールを有し、その同期モジュールは、第１のデジタル信号の第１のバイナリ表現の期待されるパワー状態がいつ受信されたかを検出するために、第２の出力へ連結された第４の入力と、期待されたパワー状態が受信されたときに、パルスを供給する第３の出力とを有する請求項４６記載のシステム。
【請求項４８】
第１のパワー拡散モジュールが、第１の複数のノイズ状態を供給する第４の出力を有する第１の疑似ランダムノイズ発生器を有し、
第２のパワー拡散モジュールが、第１の複数のノイズ状態を供給するために同期モジュールの第５の入力へ連結された第５の出力を有する第２の疑似ランダムノイズ発生器を有する請求項４７記載のシステム。
【請求項４９】
第１のパワー拡散モジュールが、第１の複数のバイナリノイズ状態を供給するための第４の出力を有する第１のランダムノイズ発生器を有し、
第２のパワー拡散モジュールが、第２の複数のバイナリノイズ状態を供給するための第５の出力を有する第２のランダムノイズ発生器を有する請求項４７記載のシステム。
【請求項５０】
第２の複数のノイズ状態が第１の複数のノイズ状態のサブセットである請求項４９記載のシステム。
【請求項５１】
第２のパワー拡散モジュールが、
第３の出力へ連結された第１の位相ロックループ入力と、複数の復元されたクロックを供給する位相ロックループ出力とを有する位相ロックループを有する請求項５０記載のシステム。
【請求項５２】
ＥＭＩ指令を満たすために低減された電磁干渉（ＥＭＩ）エミッションを発生する方法であって、
ＥＭＩ指令を満たさない第１のＥＭＩプロファイルを有する第１のデジタル信号を受信する段階と、
第１の疑似デジタルノイズ信号に基づいて第１のデジタル信号を修正して、ＥＭＩ要求を満たす第２のＥＭＩプロファイルを有する第２のデジタル信号を発生する段階と、
を有する方法。
【請求項５３】
第２のデジタル信号を伝送ラインへ供給する段階を有する請求項５２記載の方法。
【請求項５４】
第２のデジタル信号を伝送する段階が、この第２のデジタル信号を非ワイヤレス伝送ラインに沿って伝送する段階を有する請求項５３記載の方法。
【請求項５５】
供給する段階において、伝送ラインがワイヤガイドである請求項５４記載の方法。
【請求項５６】
供給する段階において、伝送ラインがプリント回路基板トレースである請求項５４記載の方法。
【請求項５７】
供給する段階において、伝送ラインが同軸ケーブルである請求項５４記載の方法。
【請求項５８】
供給する段階において、伝送ラインが集積回路トレースである請求項５４記載の方法。
【請求項５９】
第２のデジタル信号を伝送ラインから受信する段階と、
疑似ランダムノイズ信号に基づいて第２のデジタル信号を修正して、ほぼ第１のＥＭＩプロファイルを有する第３のデジタル信号を発生する段階と、
を有する請求項５３記載の方法。
【請求項６０】
第１のデジタル信号を受信する段階において、第１のデジタル信号が、ほぼ固定の周波数成分を有するものである請求項５９記載の方法。
【請求項６１】
第１のクロックを表す第１の信号を受信する段階と、
第１の信号が第１のパワー拡散機能に基づいて拡散されたパワーを有するときに、第１の信号が第１の基準を満たすことを決定する段階と、
第１の信号が第１の基準を満たすときに、第１の信号のパワーを拡散して第２の信号を発生させ、この第２の信号を出力ノードへ供給する段階と、
第１の信号が第１の基準を満たさないときに、第１の信号を出力へ供給する段階と、
を有する方法。
【請求項６２】
ビットストリームにおける電磁エミッションを低減する方法であって、
第１のパワープロファイルを有する第１の周波数成分を有する第１のデジタルビットストリームを受信する段階と、
第１のパワー拡散信号に基づいて第１のデジタルビットストリームを修正して、第２のパワープロファイルを有する一つの第２の周波数成分を有するような第１の周波数成分を表す第２のデジタルビットストリームを発生する段階と、
を有し、第２の周波数成分が第１の周波数成分と異なっているような方法。
【発明の詳細な説明】
【技術分野】
【０００１】
関連技術の説明
コンピュータ、通信デバイス、先端エンターテイメントシステムの設計においては、高性能機能／高速マイクロプロセッサがこれらのシステムに集積されるため、クロックの分配(distribution)がますます重要な課題になってきている。クロック速度は情報を処理するマイクロプロセッサの速度に正比例するため、これらの向上には、基本的に、より高い周波数のクロック発振子を用いる必要がある。しかし、高速のクロック及びデータパスをサポートするデバイスは内部及び外部の放射の問題を被りやすい。例えば、コンピュータ、通信及びエンターテイメントシステムは敏感な音声、映像及びグラフィックの回路を有しており、その性能はＥＭＩ放射によって影響を受ける可能性がある。また、過剰な内部ＥＭＩ放射は映像、音声及びグラフィックスの品質を劣化させ、システムにタイミングエラーを引き起こす。速いクロック速度及びデータ速度を有する外部デバイスにおけるＥＭＩ問題は、ＦＣＣ（米国連邦通信委員会）コンプライアンス問題を引き起こす。これは、これらのシステム及びデバイスが、通常、電磁干渉（ＥＭＩ）の要件を有しているためである。
【０００２】
一般的に、ＦＣＣのために、あるいは、内部的な配慮のために、放射されるＥＭＩレベルを所望のレベルに維持するためには、コンピュータシステム設計者は、通常、クロックの速度を下げたり、立ち上がり及び立ち下がりのエッジを制御したり、スペクトル拡散クロック発生（ＳＳＣＧ）の方法を利用したり、及び／又はシールディングするなどの方法を採用している。これらのＥＭＩ低減法の各々は様々な程度で有効ではあるが、それぞれ付随する制限も有している。
【０００３】
例えば、シールディングは、シールドされるエンクロージャの外側へ放射が漏れないようにするために、高価な導電性材料を使用する必要がある。しかし、これによってコンピュータ内部の熱の蓄積が増大することになる。それは、空気の流れが低下したり換気が不適切だったりすることで悪化する可能性がある。
【０００４】
その他の方法、すなわち、クロック速度の低下、データの立ち上がり及び立ち下がりエッジ及びＳＳＣＧは、他の問題に加えて、タイミングマージンを減らすことにつながる。タイミングマージンが減ることは、システムタイミングが重要な高速システムにとっては、望ましくない場合が多い。ＳＳＣＧを用いたシステムのタイミング要件は、ＥＭＩエミッションを減らすために、周波数変調アナログ信号に基づいて、発生されるベリージッタ(very jitter)によってさらに制限される。さらに、これらのＥＭＩ低減方法はスケーラブルではない。すなわち、ＥＭＩ低減は、システムのタイミングに悪影響を与えることなくプログラムされることができない。さらに、これらの方法はいずれもコンピュータの内側で起きる放射問題を防ぐことがまったくできない。
従って、これらの問題を克服する方法は有用である。
【特許文献１】米国特許第6,292,507号明細書
【特許文献２】米国特許第6,072,994号明細書
【特許文献３】米国特許第5,872,807号明細書
【非特許文献１】IEEE International Symposium on Industrial Electronics, ISIE 2001, vol. 2, 12-16 June 2001, pp. 1077-1082
【非特許文献２】Electronics Letters, 11th May 1995, vol. 31, no 10, pp. 769-770
【非特許文献３】IEEE Transactions on Power Electronics, vol. 15, no. 2, March 2000, pp. 399-410
【発明の開示】
【０００５】
この発明は、当業者にとっては、添付の図面を参照することによってよりよく理解することができ、その多くの目的、特徴及び利点が明らかになるであろう。異なる図面において使用されている同じ参照記号は類似あるいは同じものを表している。
【０００６】
好ましい実施形態の説明
この開示の一つの実施の形態は、ゲート式ダイレクトシーケンス拡散スペクトル（ＧＤＳＳＳ）クロック分配の方法を提供している。そこでは、元のクロック信号が分割され、放射エミッションを低減するために、広い周波数スペクトルに拡散される。ここで使用される場合には、クロックとは、ＩＣＳ又はペリコム(Pericom)などの会社によって製造されている集積回路をベースにしたタイミングデバイスとして定義される。ある実施の形態においては、クロック信号は、小さなランダムあるいは疑似ランダムな位相シフトによって修正(modify)される。一般的な拡散システムの解決策とは違って、エネルギスペクトル（ＥＭＩ）を拡散させるこれらの周波数ホップは、クロック周波数において行うことが可能である。
【０００７】
この開示はここに示されている特定の実施の形態を参照すると最もよく理解できる。特に、図１はこの発明によるクロック分配ネットワークシステムの実施の形態を表すブロック図を示している。
【０００８】
動作時においては、信号でラベル付けされたクロック／データ１０１が入力１１０で受信される。説明を容易にするために、クロック／データ信号１０１はクロック信号１０１又はデータ信号１０１として参照される。クロック１０１として参照されるときには、その素子はほぼ固定の周波数を有するデジタル信号を表している。逆に、データ１０１として参照されるときには、素子は複数の周波数成分を有している。
【０００９】
クロック１０１は送信パワー拡散モジュール１１２で受信される。クロック１０１はデジタルビットストリーム、あるいは周期的な台形タイプの波形を有するデジタルクロック信号である。クロック信号１０１からのＥＭＩエミッションは、図２において、ライン２０１で表されており、これは、特定の周波数成分を有するパワープロファイルである。図２には、また、修正されていない映像周波数スペクトルに対応する周波数スペクトル２００も描かれている。示されているように、クロック１０１の周波数成分２０１は周波数スペクトル２００と重なっている。これは、周波数成分２０１のパワーが大きすぎると、映像データと干渉する可能性がある。
【００１０】
送信パワー拡散モジュール１１２で受信されるとき、クロック／データ信号１０１はパワー拡散関数に基づいて修正され、拡散デジタル信号１０３を出力１１４へ供給する。出力１１４は伝送ライン１１６へ結合されている。拡散デジタル信号１０３は、図２のグラフにおいて、ライン２０３で表されている。これは、クロック／データ信号１０１（ライン２０１）のエミッションが元のクロック／データに比べて広い周波数スペクトル（ライン２０３）にわたって拡散しており、それよって、ＥＭＩを低減し、また、映像スペクトル２００など他の周波数スペクトルへの悪影響を低減していることを示している。
【００１１】
伝送ライン１１６は、一般に、ワイヤガイド、プリント回路基板トレース、同軸ケーブル、集積回路トレースなどの非ワイヤレス伝送媒体、あるいは非ワイヤレス伝送媒体のその他の任意の形として描かれている。
【００１２】
伝送ライン１１６は、入力１１８を介して、拡散信号１０３をデバイス１２０、１２２のような一つ又は複数の受信パワー拡散モジュールへ供給する。一つ又は複数の受信モジュールを使用することができ、また、受信モジュールは集積回路デバイス及び／又はプリント回路基板デバイス上に設置可能であること認識できよう。パワー拡散モジュール１２０、１２２は、次いで、デバイス１２６、１２８を駆動する。これらのデバイス自身は集積回路デバイスを有するプリント回路基板である。一般的に、受信パワー拡散モジュール１２０、１２２は同じパワー拡散機能を実行する。従って、説明のために、図１に描かれている受信パワー拡散モジュールの一つだけが説明される。
【００１３】
受信パワー拡散モジュール１２０は拡散デジタル信号１０３を受信して、元のクロック／データ信号１０１を表すクロック／データ信号１０５を発生する。特定の態様に応じて、クロック／データ信号１０５はクロック／データ信号１０５に対して既知の位相関係を有していてもよいし、クロック／データ信号１０５に対して非同期であってもよい。図１のシステムと関係する特定の態様は、図３〜図１０を参照することによってよりよく理解されるであろう。
【００１４】
図３はこの開示の実施の形態による送信モジュール１４２の一つの態様を示している。図３に示されるように、送信モジュール１４２は主として二つのメインブロック、すなわち、入力修正モジュール１４４及びランダムデジタルノイズ発生器モジュール１４６を有している。一つの実施の形態においては、ランダムデジタルノイズ発生器モジュール１４６は疑似ランダムデジタルノイズ発生器でよい。別の実施の形態においては、ランダムデジタルノイズ発生器モジュール１４６はガウシャンデジタルノイズ発生器でよい。以下でより詳しく説明されるように、ランダムデジタルノイズ発生器モジュール１４６は、ノイズ状態を発生させてバイナリストリームを入力修正モジュール１４４へ供給するために、直列抵抗を利用することができる。
【００１５】
動作時には、クロック信号１０１は入力１１０を介して入力修正モジュール１４４へ供給される。入力１１０からランダムデジタルノイズ発生器モジュール１４６へ点線によって示されているように、クロック信号１０１は、また、ランダムデジタルノイズ発生器モジュール１４６へ供給されることもできるし、あるいは、信号１０１がデジタル信号であるときなどには、疑似ランダムノイズ発生器１４６を駆動するのに、別のクロックを使用することもできる。ランダムデジタルノイズ発生器モジュール１４６は、ノイズ状態１４９のランダムシーケンスを発生させる。このランダムシーケンスは、一般に、バイナリデータストリームを有するパワー拡散デジタルノイズ信号を出力１４８へ供給される。これは、クロック１０１からの拡散デジタル信号の発生を容易にするために、入力修正モジュール１４４によって使用される。
【００１６】
ランダムデジタルノイズ発生器モジュールによって提供されるパワー拡散機能を実行した後、入力修正モジュール１４４は、出力１１４を介して、拡散デジタルクロック信号１０３をシステムの他のモジュールへ送る。ある実施の形態においては、ランダムデジタルノイズ発生器モジュール１４６はルックアップテーブル(look-up table)を含む。別の実施の形態においては、ランダムデジタルノイズ発生器モジュール１４６はリニアフィードバックシフトレジスタ（ＬＦＳＲ）である。さらに別の実施の形態においては、ルックアップテーブルのアクセス又はＬＦＳＳの状態シーケンスは、ロジックによってゲートをかけられたり制御されたりして、図４を参照してさらに詳しく説明されるように、所望の数の繰り返し状態を発生することができる。一つの実施の形態においては、繰り返し状態の数が偶数の状態数になるように選択され、奇数の分周器よりも実施が容易な偶数の分周器をフィードバックループ内に有する位相ロックループ（ＰＬＬ）回路の使用を容易にしている。
【００１７】
図４は、ランダムノイズ発生器１４６に対応する疑似ランダムノイズ発生器１５６の実施の形態を示している。これは、ゲート式疑似乱数（ＰＲＮ）発生器１５７を使用しており、ＬＦＳＳを用いて実施されている。特に、ゲート式パルス発生器１５８はその入力で受信されたパルスの数に基づいたカウント又は状態を維持し、一方、ＰＲＮ発生器１５７は状態シーケンスを循環し、これらの状態に応じたランダムバイナリストリームＢを出力する。予め決められた数のパルスを受信すると、ゲート式パルス発生器１５８はリセット信号を疑似乱数発生器１５７へと発生し、それにおうじて、疑似乱数発生器１５７がスタート値にリセット又はリロードされ、再び状態シーケンスを循環し始める。
【００１８】
一つの実施の形態においては、ゲート式パルス発生器１５８は疑似乱数発生器１５７をリセットして、偶数の状態が発生することを可能にする。ゲート式パルス発生器１５８は、また、疑似乱数発生器１５７によって発生されるシーケンスの状態数が、システムによって（例えば、アプリケーションドライバ又はシステムＢＩＯＳ）、あるいはユーザによって（例えば、プログラム状態に基づいて、あるいは外部ピンによって）選択できるようにプログラミング可能である。疑似乱数発生器１５７に関係する状態数を変えることによって、ここで詳しく説明されるように、ＥＭＩ低減の量を変えることができる。
【００１９】
モジュール１５４は、入力修正モジュール１４４などの入力修正モジュールのより詳しい実施の形態である。モジュール１５４は乗算／除算モジュール１５３でクロック１０１を受信する。それに応じて、元のクロック１０１とは異なる可能性のある周波数成分を有するクロックパルスが乗算器１５９へ供給される。ある乗算値、例えば、１未満では、乗算／除算モジュール１５３によって供給されるクロックはクロック１０１より低いかそれに等しい周波数成分を有するクロックを発生する。その乗算値以上では、乗算／除算モジュール１５３によって供給されるクロックは、クロック１０１より高いかそれに等しい周波数成分を有するクロックを発生する。
【００２０】
このようにして、発生された拡散デジタル信号１０３は、元のクロック１０１よりも高い周波数へ「上方拡散(up-spread)」されるか、元のクロック１０１よりも低い周波数へ「下方拡散(down-spread)」されることが可能である。上方拡散及び下方拡散を容易にすることによって、ＥＭＩエミッションを臨界周波数(critical frequencies)から遠ざけることが可能である。
【００２１】
乗算／除算モジュール１５３からのクロックパルス及び疑似乱数発生器１５７からのランダムバイナリストリームが乗算器１５９によって組み合わされ、拡散デジタル信号１０３が発生される。ある実施の形態においては、乗算器１５９は排他的ＯＲゲートを用いて実現される。アプリケーションによって、また、干渉がどこで起きるかに応じて、設計者は上方拡散又は下方拡散のどちらを用いるか選択する。上方への拡散は、一般に、高速クロックを必要とするアプリケーションに対してはコスト効率が低い。例えば、１００MHzのクロックは１６の拡散コードに対して１．６GHzのチップクロックを必要とする。しかし、上方拡散は、低いクロック速度に対しては、コスト効率が高く、うまくいく。
【００２２】
図５は送信パワー拡散モジュールに対する別の実施の形態のブロック図を示している。一つの実施の形態においては、最大長シフトレジスタシーケンス発生器又はＭ−シーケンス発生器１６６などのコード発生器は、２M−１の状態長のランダムコードを発生する。ここで、Ｍはデバイス１６６内のレジスタステージ１６３、フリップフロップ１６３又は蓄積素子１６３の数である。別の実施の形態においては、最大長シフトレジスタシーケンス発生器１６６は、デコーダ１６７に最後の状態をデコードさせることによって、状態長が２Mのランダムコードを発生する。例えば、四つのレジスタ又はフリップフロップ１６３（Ｍ＝４）が必要とされる場合、繰り返しシーケンスは、１５ビット（例えば、２M-1ビット）を送信した後に完了し、それ自身を繰り返し始める。
【００２３】
四つのレジスタ、すなわち、フリップフロップ１６３（Ｍ＝４）が使用され、偶数の状態数を望まれるときには、デコーダ１６７は繰り返しシーケンスにおける最後の状態をデコードし、最後の状態などの一つの追加初期状態を挿入し、シーケンスに余分な状態を追加し、従って、ＣＤＭＡ通信を使用するＤＳＳＳ応用で一般的なように、２M−１サイクルの代わりに２Mサイクルでシーケンスを繰り返す。
【００２４】
例えば、最大長シフトレジスタシーケンス発生器又はｍ−シーケンス発生器１６６などの疑似乱数発生器は２M−１ビット長を有するランダムコードを発生することが認識される。ここで、Ｍはフィードバック連結を有するレジスタステージの数である。レジスタ１６３へロードされる初期コードは、全部で２M−１のシーケンスシフトを通して、一度に１ビットずつ左へシフトされ、一つの疑似ランダムビットストリームサイクルを完了する。レジスタ（これは、一つ又は複数のＭフリップフロップ１６３、回路の入力及び／又は出力の一つ又は複数へ接続されている一つ又は複数のＸＯＲゲートであり、図示されていない）中のＭ素子の間のフィードバック回路は、Ｍビットが各シフトで状態を変え、Ｍビットを２M−１の疑似ランダム繰り返しビットストリームに変換することを確実にする。従って、デバイスは、シーケンスを再び繰り返すまえに、すべての可能な２M−１シリアルストリームビット状態を循環する。本質的には、シフトレジスタは、２M−１シフトごとに、Ｍビットデバイスの中で元の状態又はバイナリ値へシフトされて戻る。実際には、Ｍは任意の数であり、通常は３よりも大きい数である。
【００２５】
乗算器１６１は、ＦＦ４の出力へ連結されることによって、疑似ランダムバイナリストリームを受信する。低い周波数でのクロック１０１の表現(representation)はＭビットカウンタ１６７から受信される。カウンタ１６７の出力におけるクロック１０１の表現は乗算器１６１においてモジュール１６６からの疑似ランダムバイナリストリームと組み合わされ、拡散デジタル信号１０３を発生する。図３〜図５に示されているように、いったん拡散デジタル信号が送信パワー拡散モジュールから送られると、拡散デジタル信号１０３は、例えば、１２０、１２２又は１７０のような受信パワー拡散モジュールで受信される。
【００２６】
図６は受信パワー拡散モジュール１７０を示している。これは、一つの実施の形態においては、図１の受信パワー拡散モジュール１２０に対応するものである。受信パワー拡散モジュール１７０は入力修正モジュール１７４及びランダムノイズ発生器１７６を含む。一般的に、図１に示されているようなシステムにおいては、受信パワー拡散モジュール１２０は送信パワー拡散モジュール１１２に対する事前知識(priori knowledge)を有する。送信パワー拡散モジュールに対する事前知識のために、受信パワー拡散モジュール１２０は、送信パワー拡散モジュール１１２によって実行された正確なランダムノイズ発生器機能を知る。
【００２７】
送信パワー拡散モジュールにおいて実行されたものと同じランダムノイズ発生器機能をランダムノイズ発生器１７６の中で実行することによって、拡散デジタル信号１０３を発生するためにもともと拡散されたクロック／データ１０３を復元することが可能である。さらに、クロック１０５が位相ロックループ１７５へ供給され、クロック／データ信号１０６を発生される。クロック／データ信号は、挿入遅延に等しい量だけ位相ロックループのフィードバックを遅延させることによって、乱数拡散信号を含んでいる元のクロック１０１に対して既知の位相関係で同期されている。
【００２８】
当業者には理解できるであろうが、受信パワー拡散モジュール１７０はクロック１０５を二つのステップで発生する。第１のステップは取得ステップである。このステップでは、拡散クロック／データ信号１０３への同期が取得される。取得は、流入するビットストリームを、クロックごとに、受信機１７０のランダムノイズ発生器１７６のパワー拡散機能と比較することによって行われる。特定の状態、乱数コード又はノイズ状態が合うことがわかると、プロセスは、状態Ｎ＋１も有効かどうかを決定することを続け、そうでなければ、第１のノイズ状態が維持される。状態Ｎが通過すると、すべての状態が検証されるまで、それは次の状態へ続く。そうでなければ、プロセスは第１の初期状態で続く。従って、送信拡散モジュールと同じランダムノイズ状態を発生するランダムノイズ発生器１７６を提供することによって、同期システム動作を可能にする方法で元のクロック／データ１０１を復元することが可能である。
【００２９】
受信パワー拡散モジュール１７０の一つの利点は、拡散クロック／データ信号１０３上に誘起されるノイズ自身が拡散されて、クロック信号１０５のノイズフロアに加えられることである。この拡散の結果、拡散クロック／データ信号１０３上のノイズインパルスは復元されたクロック１０５又は１０６に影響を与えない。同期システムについては、クロックパルスの数はシステムの様々な箇所において同じであることが望ましいため、これは有用である。従って、ＥＭＩノイズを拡散クロック／データ信号１０３上で拡散させることによって、送信パワー拡散モジュールで受信されるクロックサイクルの数と、受信パワー拡散モジュール１７０によって発生されるクロックサイクルの数は同じに維持することができる。
【００３０】
図７は受信パワー拡散モジュール１２０のさらに別の実施の形態を示している。図７の受信パワー拡散モジュール１８０はエッジディテクタモジュールカウンタ１８６へ連結された入力１１８で拡散デジタル信号１０３を受信する。拡散デジタル信号１０３上で受信される情報を解釈してその出力１８１でパルスを発生するのはエッジディテクタ／モジュールカウンタ１８６である。このパルスはクロック復元信号１８３によって使用され、出力１２２上のクロック１０５として元のクロック１０１を再生する。
【００３１】
特に、エッジディテクタモジュールカウンタ１８６は、受信される拡散デジタル信号１０３に対する事前知識を有している。その結果、エッジディテクタ／モジュールカウンタ１８６は、拡散デジタル信号１０３がその繰り返しシーケンスにおいていくつの立ち上がりクロックエッジ又は立ち下がりクロックエッジを有するのか知っている。例えば、Ｍを４として、２Ｍシーケンスに対しては、疑似乱数発生器でロードされた初期値に基づいて、クロック遷移の数が固定される。従って、エッジディテクタ／モジュールカウンタ１８６は、拡散デジタル信号１０３の計数シーケンスが繰り返されるごとに、パルス１８７を発生するような計数メカニズムを有している。例えば、Ｍの値に対して全部で１２の立ち上がりエッジが存在すると仮定すると、エッジディテクタモジュールカウンタ１８６は、１２のクロックエッジごとに、出力１８１にパルス１８７を発生する。
【００３２】
出力１８１に発生されるパルスは、出力１２２においてクロック１０５として描かれている元のクロック１０１の表現を再生するために、位相ロックループ及びＮ分周器（図示されていない）を有するクロック復元モジュール１８３へ供給される。図７の態様における一つの欠点は、拡散デジタル信号１０３がＥＭＩノイズを拾う可能性のある雑音性の環境では、ＥＭＩノイズが余分な立ち上がりエッジと解釈され、その結果、予期せぬときに、出力１８１でパルス１８７が発生されことになる。この結果、クロック１０５は周波数が固定せず、その結果、同期システムを実現できない。
【００３３】
図８は図７の受信パワー拡散モジュールのより詳細な実施の形態を示している。一般に、モジュール１９６は図７のエッジディテクタ／モジュールカウンタ１８６に対応している。特に、五つのフリップフロップ１９３が直列に接続されており、最後のビットがリセット回路１９４を駆動するようになっている。リセット回路１９４は、ついで、新たなカウントを始めるために、直列に接続されたフリップフロップ１９３（ＦＦ１〜ＦＦ５）をリセットすることができる。
【００３４】
多くのタイプのカウンタを使用することができるけれども、モジュール１９６の中に図示されているカウンタは、拡散デジタル信号１０３のアクティブエッジごとに、フリップフロップ１９３チェーンに沿って断定値(asserted value)を渡り歩くことによって動作する。例えば、リセット回路１９４によって行われたリセットの後、各フリップフロップ１９３の出力の値は無効、すなわち、ゼロになる。その結果、機能的に排他的ＯＲである乗算器１９７は、その出力が低い値(low value)になる。リセットに続いて、拡散デジタル信号１０３から第１のアクティブエッジを受信すると、論理レベル１などの断定値が第１のフリップフロップＦＦ１の出力でラッチされる。
【００３５】
第１のフリップフロップＦＦ１の出力が断定された結果として、断定信号及び無効信号を受信した排他的ＯＲ機能１９７は、その出力に断定信号を提供する。拡散デジタル信号１０３の次のアクティブエッジ遷移に続いて、第１のフリップフロップＦＦ１の出力における断定値が、第２のフリップフロップＦＦ２の出力の中にラッチされるとともに、ある断定値が第１のフリップフロップＦＦ１の出力にラッチされる。排他的ＯＲ機能１９７はここで二つの断定入力を受信するため、その出力は無効になり、続くシーケンスの残りにおいてそのままである。続くシーケンスは、断定信号がフリップフロップＦＦ５の出力で受信され、それによって、リセット回路が無効値を有するフリップフロップ１９３の各々をリセットするまで続く。
【００３６】
一つの実施の形態において、エッジディテクタ／モジュールカウンタ１９６はその出力の各々において無効値へリセットされるとして記載されてきたが、他の実施の形態においては、リセット回路が特定の値をフリップフロップ１９３の中へプリロードすることもできることが理解できるであろう。さらに、簡単なビットウォーキングカウンタ(bit walking counter)を実施されてきたが、もっと複雑なカウンタも同様に実施することが可能である。
【００３７】
このようにして、排他的ＯＲモジュール１９７は、期待されるカウントに基づいた拡散デジタル信号１０３のシーケンスの繰り返しに対応したパルス１８７を発生する。このパルス１８７は位相検出器１９９へ供給される。位相検出器は、次いで、その出力をフィルタ１９８へ供給し、フィルタが、次いで、その出力信号をＶＣＯ１９５へ供給する。ＶＣＯは、次いで、位相検出器１９９へフィードバックされているＮ分周器１９７へその出力信号を供給する。このようにして、クロック復元モジュール１８３（図７）は当該分野において周知の方法で実現することができる。ここで、位相ロックループの安定性は、流入するパルスと出力クロック周波数との相対デューティサイクルに直接関係している。
【００３８】
図９は受信パワー拡散モジュール１７０のさらに別の実施の形態を示している。動作時には、図９の受信パワー拡散モジュールは拡散デジタル信号１０３の検出を可能にしている。これにより、検出されたときに、拡散デジタル信号１０３は再拡散されたパワーを有し、元のクロックが復元される。しかし、デジタル信号１０３の存在が検出されないときには、入力修正モジュール２８４の入力１１８で受信された信号は非拡散デジタルクロック信号であると仮定され、それが、拡散デジタル信号１０３を再生する代わりに、システムの中を通過させられる。
【００３９】
図９の受信パワー拡散モジュールの動作を理解するために、モジュールは、最初、リセット状態から始まると仮定される。リセット状態から始まる時には、ＶＣＯ２９５を含む位相ロックループ部分は、拡散デジタル信号１０３から復元されることが期待される元の期待クロックを適正に近似した出力クロックを発生するように設計されている。このクロックは、疑似ランダムノイズ発生器２８６、及びスタートアッププロセスのときに制御を必要とするその他のモジュールへ供給される。
【００４０】
スタートアッププロセスの結果、制御モジュール２９０は疑似ランダムノイズ発生器２８６を特定の状態において維持する。疑似ランダムノイズ発生器２８６は、次いで、入力修正モジュール２８４へある値を供給する。例えば、取得フェーズのときに、イチ（１）が入力修正モジュール２８４へ供給される。図９の受信パワー拡散モジュールは特定の署名を有する拡散デジタル信号を予想しているため、リセット部分のときに、入力修正モジュール２８４はその拡散デジタル信号１０３を受信することができ、そして、ＶＣＯによって発生されたスタートアップクロックを使用することによって、受信された拡散デジタル信号１０３に対応する状態に対する値のシーケンスをラッチすることができる。
【００４１】
拡散デジタル信号１０３に関係する既知のシーケンスである特定のシーケンスを探すために、スライディングウィンドウディテクタ２８８へ供給できるのはこれらの値あるいは状態である。例えば、拡散デジタル信号１０３は１６ビットごとに繰り返すシーケンスを有しているかもしれない。しかし、スライディングウィンドウディテクタ２８８は、そのビット全数のサブセットのみをモニタすることによって検出が可能な固有のビットシーケンスのあることを知っている。従って、例えば、受信している信号が実際に拡散デジタル信号１０３の署名を含んでいるかどうかを確かめるには、三つ又は四つのビットだけを検出さればよい。
【００４２】
スライディングウィンドウディテクタ２８８が、受信されている拡散デジタル信号１０３をはっきり同定しているときは、制御モジュール２９０に信号が送られ、疑似ランダムノイズ発生器２８６がリセットから外され、その状態を循環することが許容される。さらに、スライディングウィンドウディテクタ２８８は乗算器２９１へのセレクトラインを活性化して、スライディングウィンドウディテクタ２８８からの信号を位相検出器２９９へ送って、素子２９９、２９８、２９５、２９７を有する位相ロックループがクロック１０６を発生することを可能にする。このクロックは、拡散されて拡散デジタル信号１０３を発生する元々のクロックを表している。留意すべきは、この実施の形態においては、スライディングウィンドウディテクタ２８８は、また、Ｎ分周器２９７へ値を供給して、位相ロックループが検出されているパルスを掛けなければならないことを示す必要があることである。
【００４３】
留意すべきは、疑似ランダムノイズ発生器２８６はすべての状態を発生し、そして、入力修正モジュール２８４は拡散デジタル信号１０３から受信されるすべての信号を修正するので、入力修正モジュールがクロック１０６を直接に発生し、さらに、スライディングウィンドウディテクタ２８８を迂回して、クロック取得のために位相検出器２９９へクロックを供給することが可能であることである。このクロックは、乱数拡散信号を含む挿入遅延に等しい量だけ位相ロックループフィードバックを遅延させることによって、元のクロック１０１に対して既知の位相関係を有するように発生されることができる。
【００４４】
しかし、スライディングウィンドウディテクタ２８８が拡散デジタル信号１０３から期待する署名を検出しないような別の実施の形態においては、入力修正モジュール２８４で受信される信号は拡散デジタル信号１０３ではなくて、変更されずに通過させられる実際のデータ又はクロック信号であると仮定される。この場合には、スライディングウィンドウディテクタ２８８は乗算器２９１へ信号を送り、その他方の入力においてその信号を位相検出器２９９へ通す。入力で受信されるクロックが受信パワー拡散モジュール１７０の出力へ通される必要のあるときには、Ｎ分周器２９７は、信号を通過させるようにするために、再プログラミングされる必要がある。
【００４５】
図９に示されているタイプの受信パワーモジュールを実施する一つの利点は、期待されるクロックを発生するために、既知の拡散信号が再拡散されることができるか、あるいは、拡散信号を使用することが望ましくない状況であるなら、通常のクロックを使用してデバイスを通過させることができるかのいずれかである。
【００４６】
図１０はここに記載されているパワー拡散概念を利用した特定の応用を示している。図１０の応用はいくつもの応用が可能であると考えられる。例えば、図１０はマザーボード、セットツーボックス、カメラ、プリンタ、オーディオ／ビデオアダプタ、サーバ及びネットワーク装置を表している。図１０のメモリデバイスは、ダイナミックランダムアクセスデバイスやスタティックランダムアクセスデバイスなどのランダムアクセスデバイスを表している。デュアルデータレートランダムアクセスデバイスなどにおけるように、デバイスの速度が増大するにつれて、エミッションを低減する必要性も増大するであろう。特に、図１０は、ＣＰＵクロックをＣＰＵ３１０へ供給したり、他のＣＰＵ、アドインスロットあるいは参照クロックなどの他のデバイスで使用するクロックをチップセット３１５へ供給したりするクロックドライバ３０２を有している。チップセット３１５は、種々の機能を制御したり、及び／又は受信したクロックの種々の表現を分配するために使用することができる。
【００４７】
ある特定の実施の形態においては、チップセット３１５はクロック０を送信機３２０へ送信する。送信機３２０は、ここでは、前述した方法によって動作し、拡散デジタル信号１０３を伝送ライン３２２へ供給する。図示されている特定の実施の形態においては、この伝送ライン３２２は、情報処理システムのマザーボードなどのプリント回路基板上のトレースを有している。伝送ライン３２２は三つのコンポーネント３２５、３３０、３３５を有するように示されている。伝送ライン３２２は単一の伝送ラインとして図示されていない。これは、伝送ラインに沿ってアドインコネクタ３４０が存在するために、伝送ラインにインピーダンスの不連続が生じ得るからである。このラインインピーダンスの不連続は、伝送ライン部分３３０によって表されている。
【００４８】
伝送ライン３３０の不連続の結果、ＥＭＩエミッションが起きて、メモリデバイス３６０の一つの受信機３４５で受信される拡散信号１０３はノイズを含むことになる。メモリデバイス３６０は、情報処理システム上のメモリ量を増やすことができるメモリアドインカードでもよいことが理解できるであろう。伝送ライン３２２から拡散信号１０３を受信するのに応じて、受信機３４５は拡散デジタル信号１０３のパワーを拡散して、送信機３２０で受信される元のクロック信号の表現を発生する。
【００４９】
前述したように、図示されている送信機／受信機の対を利用することによって、伝送ライン３２２によって伝送されるノイズの影響だけでなく、伝送ライン３２２によって受信されるノイズの影響も低減され、受信機３４５によってきれいなクロック信号を発生され、メモリチップ３５１〜３５９へ供給されることができる。
【００５０】
図１１はこの開示の特定の実施の形態による方法を、流れ図の形で示している。ステップ４０２では、ほぼ固定の周波数を有する第１のデジタル信号が受信される。一つの実施の形態においては、この第１のデジタル信号はクロック信号であり、このクロック信号は種々のデジタルコンポーネントに対してタイミング制御を行うために使用される。クロック信号の一つの例は、ほぼ台形タイプの波形である。
【００５１】
ステップ４０４では、第１のデジタル信号は第１のパワー拡散デジタルノイズ信号に基づいて修正され、拡散デジタル信号を発生する。基本的には、第１のパワー拡散ノイズ信号は乱数発生器を有している。使用することができる乱数発生器の例としては、疑似乱数発生器やガウシャンノイズ疑似乱数発生器が含まれる。第１のデジタル信号をパワー拡散デジタルノイズ信号に基づいて修正することによって、そのパワーがより広い周波数スペクトルにわたって拡散した拡散デジタル信号が得られ、それによって、ＥＭＩの影響が低減される。
【００５２】
ステップ４０６では、拡散デジタル信号は非ワイヤレス伝送ラインに沿って伝送される。非ワイヤレス伝送ラインの例には、ワイヤガイド、集積回路デバイストレース、プリント回路基板トレース、及び同軸ケーブルなどが含まれる。拡散デジタル信号は非ワイヤレス伝送ラインに沿って受信デバイスへ供給される。
【００５３】
ステップ４０８では、拡散デジタル信号が受信デバイスにおいて伝送ラインから受信される。次に、ステップ４１０において、拡散デジタル信号は、第２のパワー拡散機能を実行する第２のパワー拡散信号に基づいて修正される。一つの実施の形態においては、第２のパワー拡散機能は受信ステップ４０４で利用されるパワー拡散機能と同じである。デジタル信号の修正に応じて、第２のデジタル信号が発生される。この第２のデジタル信号は第１のデジタル信号を表している。
【００５４】
別の実施の形態においては、ステップ４１０で利用されるパワー拡散機能は、修正のステップで利用されるものと同じパワー拡散機能を利用する必要はない。ここにおいて前述したように、クロックを効果的に復元して、パワーを拡散して元の形に戻すために、カウンタネットワークを使用することができる。同様に、同じランダム状態を発生する乱数発生器を使用して、拡散デジタル信号を修正し、第１のデジタル信号を表す第２のデジタル信号を発生することができる。
【００５５】
図１１の方法は、伝送ラインを伝送されるクロック信号からのＥＭＩエミッションが、高調波エネルギを広い周波数スペクトルにわたって拡散することによって低減すること可能であるという点において、従来の技術に対する利点を表している。さらに、復元されるクロックは、システムにさらなるタイミング制約を持ち込むことなく復元することができる。なぜなら、復元されたクロックはシステムに著しい追加のジッタ(jitter)を持ち込まないからである。
【００５６】
図１２はこの発明による別の方法を流れ図の形で示している。ステップ４２２では、ＥＭＩ指令を満足しないような第１のＥＭＩプロファイルを有する第１のデジタル信号が受信される。例えば、システムの中にＥＭＩ問題を持ち込むことがわかっているようなデータ又はクロック信号の受信が可能である。ステップ４２４では、第１のデジタル信号は、ランダムデジタルノイズ信号に基づいて修正され、ＥＭＩ指令を満足するような第２のＥＭＩプロファイルを有する第２のデジタル信号を発生する。ＥＭＩ指令の一例は、特定の周波数にわたって所定のＥＭＩエミッションレベルを越えないことである。ステップ４２４で信号を修正することによって、ＥＭＩプロファイルを満足することができる。
【００５７】
ステップ４２６では、第２のデジタル信号が非ワイヤレス伝送ラインへ供給される。非ワイヤレス伝送ラインの例としては、ワイヤライン、集積回路トレース、プリント回路基板トレース、同軸ケーブルなどが含まれる。
ステップ４２８では、第２のデジタル信号が受信デバイスにおいて伝送ラインから受信される。ステップ４３０では、第２のデジタル信号がデジタルノイズ信号に基づいて修正され、ほぼ第１のＥＭＩプロファイルを有する第３のデジタル信号を発生する。ここにおいて前述したように、拡散されたパワーを有する第２のデジタル信号は、ガウシャンノイズ信号や疑似ランダムノイズ信号などのデジタルノイズ信号を用いて修正され、元のクロックの表現を発生することができる。
【００５８】
図１３はこの開示における一実施の形態による方法を流れ図で示している。ステップ４４４では、第１のクロックの第１の表現が受信される。ステップ４４４では、第１の信号のパワーが第１のパワー拡散機能に基づいて拡散されたときに、第１の信号が第１の基準を満たすかどうかの決定がなされる。例えば、第１の基準は、第１の信号が、そのパワーが拡散された後に、発生された第１のクロックと同様に、固定の周波数信号をもたらすかということである。第１の基準の別の例は、第１の信号のパワーを拡散するプロセスが、期待されるランダム状態のシーケンスであるランダム状態シーケンスをもたらすかということである。
【００５９】
ステップ４４４で、第１の基準が満足されたと判断されたとき、流れはステップ４４６へ進む。ステップ４４６では、第１の信号のパワーが拡散されて第２の信号を発生する。この第２の信号はデバイスの出力ノードへ供給され、別のデバイスを駆動する。実際、期待された拡散信号が受信されると、それはデコードされ、例えば、そのパワーが拡散され、第１のクロック信号の表現を提供する。
【００６０】
第１の信号が第１の基準を満たさないと判断されたなら、流れはステップ４４８へ進み、そこで、別のクロック信号が出力に供給される。一つの実施の形態においては、別のクロック信号による方策は、第１の信号を反拡散(de-spreading)することによってクロックを発生させようとする代わりに、ステップ４４２で受信された第１の信号を出力ノードへ供給することである。この特定の実施の形態は、利点のあることが理解されるであろう。それは、拡散受信機／送信機モジュール様々な受信信号でうまく動作させることが可能にしているからである。
【００６１】
図１４はこの開示における特定の実施の形態による方法を流れ図の形で示している。ステップ４５２では、第１のパワープロファイルを有する第１の周波数成分を有する第１のデジタルビットストリームが受信される。第１のデジタルビットストリームは、固定周波数のクロック、又は第１の周波数成分を有するデータを有することができる。
【００６２】
ステップ４５４では、第１のデジタルビットストリームは第１のパワー拡散信号に基づいて修正され、第２の周波数成分が第２のパワープロファイルを有するような第１の周波数成分を表す第２のデジタルビットストリームを発生する。例えば、図２を再度参照すると、第１のデジタルビットストリームの第１の周波数成分は、図２のパワープロファイル２０１によって表され得る。第１のデジタルビットストリームがデータビットストリームである場合には、パワープロファイル２０１はデータに関係する単一の周波数成分のみを表していることが理解できるであろう。いったん修正されると、第２のパワープロファイルを有する第２の周波数成分は、例えば、パワープロファイル２０３によって表される。パワープロファイル２０３は第１のデジタルビットストリームの周波数範囲よりも広い周波数範囲にわたって拡散されていることが容易にわかるであろう。その結果、低いＥＭＩエミッションを発生するビットストリームが実現される。
【００６３】
図１４はこの開示における様々な側面を実施するシステムをブロック図の形で示している。図１４のシステムは多数の様々な応用の任意のものを表していることがわかろう。例えば、いくつかの応用を挙げると、図１４はマザーボード、セットツーボックス、カメラ、プリンタ、オーディオ／ビデオアダプタ、サーバ、及び／又はネットワーク装置を表している。
【００６４】
図１４は、メモリ５０２及び中央処理装置（ＣＰＵ）５０５へタイミング情報を提供するためのクロックドライバ５０１を示している。しかし、固定周波数信号をメモリ５０２へ直接供給する代わりに、クロックドライバ５０１が送信パワー拡散モジュール５２１へ連結されている。ここで説明されたように、送信パワーモジュール５２１は固定周波数信号のエネルギを拡散して、拡散されたパワースペクトルを有する信号を発生し、この拡散信号を伝送ライン５２３へ供給する。伝送ライン５２３へ連結された受信モジュール５２２は拡散信号を受信し、元のクロックを表す固定周波数信号をメモリ５０２へ供給する。受信モジュール５２２はメモリデバイス５０２の一部でもよいこと、また、送信モジュール５２１はクロックドライバ５０１の一部でもよいことが理解されるであろう。
【００６５】
同じようにして、クロックドライバ５０１をＣＰＵ５０５へ直接に連結する代わりに、クロックドライバが送信パワー拡散モジュール５４１へ連結されている。ここで説明されたように、送信パワーモジュール５４１は固定周波数信号のエネルギを拡散して、拡散されたパワースペクトルを有する信号を発生し、この拡散信号を伝送ライン５４３へ供給する。伝送ライン５４３へ連結された受信モジュール５４２は拡散信号を受信し、元のクロックを表す固定周波数信号をＣＰＵ５０５へ供給する。受信モジュール５４２はメモリデバイス５０２の一部として一体化されていてもよいこと、また、送信モジュール５２１はクロックドライバ５０１の一部として一体化されていてもよいことが理解されるであろう。
【００６６】
データは、バスセグメント５１６、５１７、５１８を含んだメモリバスによって、メモリデバイス５０２とＣＰＵとの間を伝送される。基本的に、メモリデバイス５０２は、有害なＥＭＩを生じるようなデータレートでデータを伝送するデュアルデータレートメモリなどの高速メモリを表している。従って、図の実施の形態においては、データバスの各ビットラインは、ここで開示された拡散方法によって利点を得ている。例えば、バスセグメント５１６は、この開示に従ってパワー拡散デバイス５３５へ供給されるビットライン５１２を有している。メモリバス上のデータは、基本的に、双方向データであるため、パワー拡散デバイス５３５は、送信パワー拡散モジュール及び受信パワー拡散モジュールの両方を有している。メモリ／ＣＰＵからの制御信号は、データリードあるいはデータライトのどちらが実行されているかに基づいて、どのモジュールが駆動されるか制御する。モジュール５３５が送信モジュールとして動作するときには、拡散データは、ビットライン５１３によって、拡散データを受信して処理する受信モジュールとして構成されたモジュール５３６へ伝送される。受信された拡散データ信号は、同じパワー拡散機能を使用して再拡散され、元のデータがＣＰＵへ供給される。
【００６７】
システムのすべての素子がここに記載されたパワー拡散を実行する必要があるわけではないことが理解されるであろう。例えば、パワー拡散コンポーネント５０３、５０４を供給するクロック信号は拡散されないものとして示されている。同様に、ＣＰＵ５０５とメモリとの間の制御情報は拡散されないものとして示されている。これは、制御データは、一般に、高速データではないためである。
【００６８】
この応用における種々の機能及びコンポーネントは、データプロセッサ又は複数の処理デバイスなどの情報処理装置を使用して実施される。そうしたデータプロセッサはマイクロプロセッサ、マイクロコントローラ、マイクロコンピュータ、デジタル信号プロセッサ、状態マシーン、ロジック回路、及び／又は動作指示に基づいて、あるいは予め決められた方法でデジタル情報を操作する任意のデバイスである。一般的に、ブロック図によって示されている種々の機能及びシステムは、ここに掲げられた実施態様の一つ又は複数を用いて当業者によって容易に実現される。
【００６９】
指示を出すためのデータプロセッサが使用されるときには、その指示はメモリの中に蓄積される。そうしたメモリは単一のメモリデバイスでもよいし、複数のメモリデバイスでもよい。そのようなメモリデバイスは、リードオンリメモリデバイス、ランダムアクセスメモリデバイス、磁気テープメモリ、フロッピディスクメモリ、ハードドライブメモリ、外部テープ及び／又はデジタル情報を蓄積する任意のデバイスでよい。留意される点は、データプロセッサが状態マシーン又はロジック回路を介して一つ又は複数のその機能を実施するとき、対応する指示を蓄積しているメモリは、状態マシーン及び／又はロジック回路を含む回路の中に埋め込まれるか、あるいは機能が組み合わせロジックを用いて実施されるために不必要であるという点である。そうした情報処理装置は、コンピュータ、パーソナルデジタルアシスタント（ＰＤＡ）、ハンドヘルドコンピュータデバイス、ケーブルセットツーボックス、携帯電話などのインターネットが可能なデバイスなどのシステム又はシステムの一部である。
【図面の簡単な説明】
【００７０】
【図１】この開示の少なくとも一つの実施の形態による拡散デジタルクロック信号を発生するための方法の概略を示す簡単なブロック図である。
【図２】この開示の少なくとも一つの実施の形態における周波数成分のパワープロファイルを示すグラフである。
【図３】この開示の少なくとも一つの実施の形態による送信モジュールの態様を示すブロック図である。
【図４】この開示の少なくとも一つの実施の形態による疑似ランダムノイズ発生器の実施の形態を示すブロック図である。
【図５】この開示の少なくとも一つの実施の形態によるランダムデジタルノイズ発生器又はコード発生器のブロック図である。
【図６】この開示の少なくとも一つの実施の形態による受信パワー拡散モジュールを示すブロック図である。
【図７】この開示の少なくとも一つの実施の形態による受信パワー拡散モジュールの別の態様を示すブロック図である。
【図８】この開示の少なくとも一つの実施の形態による受信パワー拡散モジュールのより詳細な実施の形態を示している。
【図９】この開示の少なくとも一つの実施の形態による受信パワー拡散モジュールの別の実施を示すブロック図である。
【図１０】この開示の少なくとも一つの実施の形態によるパワー拡散概念を利用した応用を示すブロック図である。
【図１１】この開示の少なくとも一つの実施の形態による拡散デジタル信号を発生するための方法の流れ図である。
【図１２】この開示の少なくとも一つの実施の形態によるＥＭＩ低減方法の流れ図である。
【図１３】この開示の少なくとも一つの実施の形態による信号が特定の基準を満足するときを決定する方法の流れ図である。
【図１４】この開示の少なくとも一つの実施の形態によるデジタルビットストリームを修正するための方法の流れ図である。
【図１】
2005524889.tif 000003
【図２】
2005524889.tif 000004
【図３】
2005524889.tif 000005
【図４】
2005524889.tif 000006
【図５】
2005524889.tif 000007
【図６】
2005524889.tif 000008
【図７】
2005524889.tif 000009
【図８】
2005524889.tif 000010
【図９】
2005524889.tif 000011
【図１０】
2005524889.tif 000012
【図１１】
2005524889.tif 000013
【図１２】
2005524889.tif 000014
【図１３】
2005524889.tif 000015
【図１４】
2005524889.tif 000016
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
ほぼ固定の周波数を有する第１のデジタル信号を受信する段階と、
第１のパワー拡散デジタルノイズ信号に基づいて第１のデジタル信号を修正し、制御刺激に応じて、拡散デジタル信号を発生する段階と、
を有する方法。
【請求項２】
第１のデジタル信号を受信する段階において、第１のデジタル信号がクロック信号である請求項１記載の方法。
【請求項３】
拡散デジタル信号を非ワイヤレス伝送ラインに沿って伝送する段階を有する請求項１記載の方法。
【請求項４】
拡散デジタル信号を伝送ラインに沿って伝送する段階において、伝送ラインがワイヤガイドである請求項３記載の方法。
【請求項５】
拡散デジタル信号を伝送ラインに沿って伝送する段階において、伝送ラインがプリント回路基板トレースである請求項３記載の方法。
【請求項６】
拡散デジタル信号を伝送ラインに沿って伝送する段階において、伝送ラインが同軸ケーブルである請求項３記載の方法。
【請求項７】
拡散デジタル信号を伝送ラインに沿って伝送する段階において、伝送ラインが集積回路トレースである請求項３記載の方法。
【請求項８】
第１のデジタル信号を修正する段階において、第１のパワー拡散信号が、第１のパワー拡散機能を実行して拡散デジタル信号の発生を容易にするものである請求項１記載の方法。
【請求項９】
拡散デジタル信号を受信する段階と、
第１のパワー拡散機能を実行する第２のパワー拡散信号に基づいて、拡散デジタル信号を修正して、第２のデジタル信号を発生する段階と、
をさらに有し、第２のデジタル信号が第１のデジタル信号を表している請求項８記載の方法。
【請求項１０】
第２のデジタル信号をクロック分配ネットワークへ供給する段階をさらに有する請求項９記載の方法。
【請求項１１】
第２のデジタル信号を供給する段階が、第２のデジタル信号をプリント回路基板のクロック分配ネットワークへ供給する段階を有する請求項１０記載の方法。
【請求項１２】
第２のデジタル信号を供給する段階が、第２のデジタル信号を集積回路のクロック分配ネットワークへ供給する段階を有する請求項１０記載の方法。
【請求項１３】
拡散デジタル信号を受信する段階と、
第２のパワー拡散機能を実行する第２のパワー拡散信号に基づいて、拡散デジタル信号を修正して、第２のデジタル信号を発生させる段階と、
をさらに有する請求項８記載の方法。
【請求項１４】
第２のデジタル信号が第１のデジタル信号を表しているかどうかを決定する段階をさらに有する請求項１３記載の方法。
【請求項１５】
第２のデジタル信号が第１のデジタル信号を表していると決定されたとき、第２のデジタル信号をクロック分配ネットワークへ供給する段階をさらに有する請求項１４記載の方法。
【請求項１６】
第２のデジタル信号が第１のデジタル信号を表していないと決定されたとき、クロック分配ネットワークへの第２のデジタル信号の分配を防止する段階をさらに有する請求項１４記載の方法。
【請求項１７】
拡散デジタル信号を修正する段階において、第２のパワー拡散機能が複数の状態をさらに有し、これら複数の状態のサブセットを使用して第２のデジタル信号を発生させている請求項１３記載の方法。
【請求項１８】
拡散デジタル信号を修正する段階が、拡散デジタル信号に基づいて同期信号を決定する段階と、この同期信号をロック素子へ供給して第２のデジタル信号を発生する段階とを有する請求項１７記載の方法。
【請求項１９】
拡散デジタル信号を修正する段階において、第２のパワー拡散機能が複数の状態をさらに有し、拡散デジタル信号のソースがわかっているときに、これら複数の状態のサブセットを使用して第２のデジタル信号を発生させている請求項１３記載の方法。
【請求項２０】
拡散デジタル信号を修正する段階において、第２のパワー拡散機能が複数の状態を有し、これら複数の状態の各々を使用して第２のデジタル信号を発生させている請求項１３記載の方法。
【請求項２１】
第２のパワー拡散機能が疑似乱数発生器によって発生される請求項１３記載の方法。
【請求項２２】
第２のパワー拡散機能がガウシャン乱数発生器によって発生される請求項１３記載の方法。
【請求項２３】
拡散デジタル信号を修正する段階において、疑似乱数発生器がゲート式疑似乱数発生器によって発生される請求項２１記載の方法。
【請求項２４】
ゲート式疑似乱数発生器が偶数の状態を発生する請求項２３記載の方法。
【請求項２５】
疑似乱数発生器がルックアップテーブルを有する請求項２１記載の方法。
【請求項２６】
疑似乱数発生器がリニアフィードバックシフトレジスタを有する請求項２１記載の方法。
【請求項２７】
第１のデジタル信号を受信する段階において、第１のデジタル信号が周期的な台形タイプの波形を有する請求項１記載の方法。
【請求項２８】
（削除）
【請求項２９】
制御刺激がｂｉｏｓ設定を有する請求項１記載の方法。
【請求項３０】
制御刺激がｂｉｏｓユーザ入力を有する請求項１記載の方法。
【請求項３１】
制御刺激がデバイスへの入力ピンを有する請求項１記載の方法。
【請求項３２】
制御刺激に応じて非ワイヤレス伝送ラインに沿って拡散デジタル信号を伝送する段階、そうでなければ、第１のデジタル信号を非ワイヤレス伝送ラインに沿って伝送する段階を有する請求項１記載の方法。
【請求項３３】
第１のデジタル信号を修正する段階において、拡散デジタル信号がほぼ固定の周波数よりも高くない周波数成分を有している請求項１記載の方法。
【請求項３４】
第１のデジタル信号を修正する段階において、拡散デジタル信号がほぼ固定の周波数よりも高い周波数成分を有している請求項１記載の方法。
【請求項３５】
第１の周波数を有する第１のバイナリデジタル信号を供給する第１の入力と、
パワー拡散モジュールと、
を有し、パワー拡散モジュールは、第１の入力へ連結された第２の入力と、第３の入力と、第３の入力で受信される制御刺激に応じて第１のバイナリデジタル信号の第１のバイナリ表現を供給する第１の出力とを有し、第１のバイナリデジタル信号の第１のバイナリ表現が第１のバイナリデジタル信号に対して拡散されたパワーを有するようになっているシステム。
【請求項３６】
パワー拡散モジュールが、疑似ランダムノイズ状態を供給する出力を有する疑似ランダムノイズ発生器を有している請求項３５記載のシステム。
【請求項３７】
パワー拡散モジュールが、ガウシャンランダムノイズ状態を供給する出力を有する疑似ランダムノイズ発生器を有している請求項３５記載のシステム。
【請求項３８】
パワー拡散モジュールが、
第１の入力へ連結された第１の修正モジュール入力と、第２の出力へ連結された第２の修正モジュール入力と、第１の複数のノイズ状態に基づいて第１のデジタル信号の第１のバイナリ表現を供給する修正モジュール出力とを有する請求項３６記載のシステム。
【請求項３９】
第１の複数のノイズ状態が偶数のノイズ状態を有する請求項３７記載のシステム。
【請求項４０】
第１の出力へ連結された伝送ラインをさらに有する請求項３５記載のシステム。
【請求項４１】
伝送ラインがプリント回路基板トレースである請求項４０記載のシステム。
【請求項４２】
プリント回路基板トレースがインピーダンス不連続を有する請求項４１記載のシステム。
【請求項４３】
インピーダンス不連続がアドインコネクタの箇所にある請求項４２記載のシステム。
【請求項４４】
アドインコネクタがメモリデバイスを受容するためのものである請求項４３記載のシステム。
【請求項４５】
伝送ラインが集積回路トレースである請求項４０記載のシステム。
【請求項４６】
第２のパワー拡散モジュールをさらに有し、その第２のパワー拡散モジュールは、第１のデジタル信号の第１のバイナリ表現を受信するために伝送ラインへ連結されている第３の入力と、第１のバイナリデジタル信号の第２のバイナリ表現を供給するための第２の出力とを有し、第１のバイナリデジタル信号の第２のバイナリ表現が第１のデジタル信号とほぼ同じ周波数パターンを有する請求項４０記載のシステム。
【請求項４７】
第２のパワー拡散モジュールが同期モジュールを有し、その同期モジュールは、第１のデジタル信号の第１のバイナリ表現の期待されるパワー状態がいつ受信されたかを検出するために、第２の出力へ連結された第４の入力と、期待されたパワー状態が受信されたときに、パルスを供給する第３の出力とを有する請求項４６記載のシステム。
【請求項４８】
第１のパワー拡散モジュールが、第１の複数のノイズ状態を供給する第４の出力を有する第１の疑似ランダムノイズ発生器を有し、
第２のパワー拡散モジュールが、第１の複数のノイズ状態を供給するために同期モジュールの第５の入力へ連結された第５の出力を有する第２の疑似ランダムノイズ発生器を有する請求項４７記載のシステム。
【請求項４９】
第１のパワー拡散モジュールが、第１の複数のバイナリノイズ状態を供給するための第４の出力を有する第１のランダムノイズ発生器を有し、
第２のパワー拡散モジュールが、第２の複数のバイナリノイズ状態を供給するための第５の出力を有する第２のランダムノイズ発生器を有する請求項４７記載のシステム。
【請求項５０】
第２の複数のノイズ状態が第１の複数のノイズ状態のサブセットである請求項４９記載のシステム。
【請求項５１】
第２のパワー拡散モジュールが、
第３の出力へ連結された第１の位相ロックループ入力と、複数の復元されたクロックを供給する位相ロックループ出力とを有する位相ロックループを有する請求項５０記載のシステム。
【請求項５２】
ＥＭＩ指令を満たすために低減された電磁干渉（ＥＭＩ）エミッションを発生させる方法であって、
ＥＭＩ指令を満たさない第１のＥＭＩプロファイルを有する第１のデジタル信号を受信する段階と、
第１のデジタル信号が修正されるべきかどうかを決定する段階と、
第１のデジタル信号が修正すべきであるとの決定に応じて、第１の疑似デジタルノイズ信号に基づいて第１のデジタル信号を修正して、ＥＭＩ要求を満たす第２のＥＭＩプロファイルを有する第２のデジタル信号を発生させる段階と、
を有する方法。
【請求項５３】
第２のデジタル信号を伝送ラインへ供給する段階を有する請求項５２記載の方法。
【請求項５４】
第２のデジタル信号を伝送する段階が、この第２のデジタル信号を非ワイヤレス伝送ラインに沿って伝送する段階を有する請求項５３記載の方法。
【請求項５５】
供給する段階において、伝送ラインがワイヤガイドである請求項５４記載の方法。
【請求項５６】
供給する段階において、伝送ラインがプリント回路基板トレースである請求項５４記載の方法。
【請求項５７】
供給する段階において、伝送ラインが同軸ケーブルである請求項５４記載の方法。
【請求項５８】
供給する段階において、伝送ラインが集積回路トレースである請求項５４記載の方法。
【請求項５９】
第２のデジタル信号を伝送ラインから受信する段階と、
疑似ランダムノイズ信号に基づいて第２のデジタル信号を修正して、ほぼ第１のＥＭＩプロファイルを有する第３のデジタル信号を発生させる段階と、
を有する請求項５３記載の方法。
【請求項６０】
第１のデジタル信号を受信する段階において、第１のデジタル信号が、ほぼ固定の周波数成分を有するものである請求項５９記載の方法。
【請求項６１】
第１のクロックを表す第１の信号を受信する段階と、
第１の信号が第１のパワー拡散機能に基づいて拡散されたパワーを有するときに、第１の信号が第１の基準を満たすことを決定する段階と、
第１の信号が第１の基準を満たすときに、第１の信号のパワーを拡散して第２の信号を発生させ、この第２の信号を出力ノードへ供給する段階と、
第１の信号が第１の基準を満たさないときに、第１の信号を出力へ供給する段階と、
を有する方法。
【請求項６２】
ビットストリームにおける電磁エミッションを低減する方法であって、
第１のパワープロファイルを有する第１の周波数成分を有する第１のデジタルビットストリームを受信する段階と、
非線形の第１のパワー拡散信号に基づいて第１のデジタルビットストリームを修正して、第２のパワープロファイルを有する一つ又は複数の第２の周波数成分を有するような第１の周波数成分を表す第２のデジタルビットストリームを発生させる段階と、
を有し、第２のパワープロファイルが第１のパワープロファイルと異なっているような方法。
【請求項６３】
ほぼ固定の周波数を有する第１のデジタル信号を受信する段階と、
第１のパワー拡散デジタルノイズ信号に基づいて第１のデジタル信号を修正して、拡散デジタル信号を発生させる段階と、
この拡散デジタル信号を受信する段階と、
第２のパワー拡散機能を実行する第２のパワー拡散デジタルノイズ信号に基づいて拡散デジタル信号を修正して、第２のデジタル信号を発生させる段階と、
この第２のデジタル信号が第１のデジタル信号を表しているかどうかを決定する段階と、
を有する方法。
【請求項６４】
第２のデジタル信号が第１のデジタル信号を表していると決定されたとき、第２のデジタル信号をクロック分配ネットワークへ供給する段階をさらに有する請求項６３記載の方法。
【請求項６５】
第２のデジタル信号が第１のデジタル信号を表していないと決定されたとき、クロック分配ネットワークへの第２のデジタル信号の分配を防止する段階をさらに有する請求項６３記載の方法。
【請求項６６】
拡散デジタル信号を修正する段階において、第２のパワー拡散機能が複数の状態をさらに有し、これら複数の状態のサブセットを使用して第２のデジタル信号を発生させている請求項６３記載の方法。
【請求項６７】
拡散デジタル信号を修正する段階が、拡散デジタル信号に基づいて同期信号を決定する段階と、この同期信号をロック素子へ供給して第２のデジタル信号を発生させる段階とを有する請求項６６記載の方法。
【請求項６８】
拡散デジタル信号を修正する段階において、第２のパワー拡散機能が複数の状態をさらに有し、拡散デジタル信号のソースがわかっているときに、これら複数の状態のサブセットを使用して第２のデジタル信号を発生させている請求項６３記載の方法。
【請求項６９】
拡散デジタル信号を修正する段階において、第２のパワー拡散機能が複数の状態を有し、これら複数の状態の各々を使用して第２のデジタル信号を発生させている請求項６３記載の方法。
【請求項７０】
第２のパワー拡散機能が、疑似乱数発生器によって発生される請求項６３記載の方法。
【請求項７１】
第２のパワー拡散機能が、ガウシャン乱数発生器によって発生される請求項６３記載の方法。
【請求項７２】
拡散デジタル信号を修正する段階において、疑似乱数発生器がゲート式疑似乱数発生器によって発生される請求項７１記載の方法。
【請求項７３】
ゲート式疑似乱数発生器が偶数の状態を発生する請求項７２記載の方法。
【請求項７４】
疑似乱数発生器がルックアップテーブルを有する請求項７１記載の方法。
【請求項７５】
疑似乱数発生器がリニアフィードバックシフトレジスタ２７を有する請求項７１記載の方法。
【請求項７６】
第１のデジタル信号を受信する段階において、第１のデジタル信号が周期的な台形タイプの波形を有する請求項６３記載の方法。
【請求項７７】
修正する段階が、第１のパワー拡散信号に基づいて第１のデジタル信号を修正して、制御刺激に応じて拡散デジタル信号を発生する段階を有する請求項６３記載の方法。
【請求項７８】
制御刺激がｂｉｏｓ設定を有する請求項７７記載の方法。
【請求項７９】
制御刺激がｂｉｏｓユーザ入力を有する請求項７７記載の方法。
【請求項８０】
制御刺激がデバイスへの入力ピンを有する請求項７７記載の方法。
【請求項８１】
制御刺激に応じて拡散デジタル信号を非ワイヤレス伝送ラインに沿って伝送する段階、そうでなければ、第１のデジタル信号を非ワイヤレス伝送ラインに沿って伝送する段階を有する請求項７７記載の方法。
【請求項８２】
第１のデジタル信号を修正する段階において、拡散デジタル信号がほぼ固定の周波数よりも高くない周波数成分を有している請求項６３記載の方法。
【請求項８３】
第１のデジタル信号を修正する段階において、拡散デジタル信号がほぼ固定の周波数よりも高い周波数成分を有している請求項６３記載の方法。
【請求項８４】
第１の入力及び出力を有するモジュールと、
選択入力及び出力を有する選択モジュールと、
を有し、モジュールの出力は第１の入力で受信される入力信号に基づいてデジタル出力信号を供給し、このデジタル出力信号が入力信号のＥＭＩ入力プロファイルと異なるＥＭＩ出力プロファイルを有し、このデジタル出力信号が入力信号を表しており、
選択モジュールは入力信号がＥＭＩ指令を満たすように拡散されたパワーを有するかどうかを決定するように作動し、入力信号のパワーが拡散されたと決定されたときには、選択モジュールの出力へ入力信号を供給し、入力信号のパワーが拡散されていないと決定されたときには、選択モジュールの出力へデジタル出力信号を供給するようになっているシステム。
【請求項８５】
第１のクロックを表す第１の信号を受信するための手段と、
第１の信号が第１のパワー拡散機能に基づいて拡散されたパワーを有するときに、第１の信号が第１の基準を満たすことを決定するための手段と、
第１の信号のパワーを拡散させて第２の信号を発生し、第１の信号が第１の基準を満たすときに、第２の信号を出力ノードへ供給するための手段と、
第１の信号が第１の基準を満たさないときに、第１の信号を出力ノードへ供給するための手段と、
を有するシステム。
【国際調査報告】
2005524889.tif 000017